(57)【要約】【課題】情報端末の筐体内に配置される、操作キーの押下に伴って応力が加わる基板について、その実装効率を大きく低下させることなく、基板に加わる応力の影響を緩和する。【解決手段】基板５の上面には、操作キー１５が押下されたことを検出する機構が設けられており、そのために、操作キー１５の押下に伴って応力が加わる。筐体１０には、基板５の、操作キー１５の押下に伴って応力が加わる面とは反対側の面の、操作キーの押下に伴って応力を受ける領域の直下の位置に向かって延びるリブ１１が形成されている。基板５の、リブ１１に当接する位置には、基板５に固定され、リブ１１の側面に沿って位置する面を有するリブ変位規制部品１が実装されている。【選択図】図２
2005078897.tif 000002
【特許請求の範囲】
【請求項１】
操作キーを有する情報端末の筐体内に配置され、前記操作キーの押下に伴って応力を受ける基板の保持構造であって、
前記筐体には、前記基板の、前記操作キーの押下に伴って応力を受ける面とは反対側の面の、前記操作キーの押下に伴って応力を受ける領域の直下の位置に向かって延びるリブが形成されており、
前記基板には、前記基板の、前記リブに当接する位置に固定され、前記リブの側面に沿って位置する面を有するリブ変位規制部品が取り付けられている基板保持構造。
【請求項２】
前記リブ変位規制部品は、断面がＬ字形である、請求項１に記載の基板保持構造。
【請求項３】
前記リブとして、各々が、両者間で互いに反対側を向いた側面を有している２つのリブが少なくとも設けられており、
前記リブ変位規制部品として、各々が、２つの前記リブの、互いに反対側を向いた側面にそれぞれ沿って位置する面を有する２つのリブ変位規制部品が少なくとも設けられている、請求項２に記載の基板保持構造。
【請求項４】
前記リブ変位規制部品は、断面がコ字形であり、１つの前記リブの互いに反対側を向いた両側面のそれぞれに沿って位置する２つの面を有している、請求項１に記載の基板保持構造。
【請求項５】
請求項１から４のいずれか１項に記載の基板保持構造を有する情報端末。
【請求項６】
操作キーを有し、該操作キーの押下に伴って応力を受ける基板が筐体内に配置され、該筐体には、前記基板の、前記操作キーの押下に伴って応力を受ける面とは反対側の面の、前記操作キーの押下に伴って応力を受ける領域の直下の位置に向かって延びるリブが形成されている情報端末の前記基板に取り付けられる実装部品であって、
前記基板の、前記リブに当接する位置に固定され、前記リブの側面に沿って位置する面を有する実装部品。
【発明の詳細な説明】
【技術分野】
【０００１】
本発明は、携帯電話等の、操作キーを有する情報端末機器において、操作キーを押下した際に押下されたことを検出する機構を有し、そのために、操作キーの押下に伴って応力を受ける基板の保持構造に関する。
【背景技術】
【０００２】
携帯電話に代表される情報端末機器には、種々の情報処理を実行するコンピュータが内蔵され、利用者がコンピュータに種々の情報を入力するための手段として、一般に、操作キーが設けられている。すなわち、利用者が操作キーを押下した際、例えば、操作キーの位置変化によって、操作キーの下面に配置された基板上に形成された回路の所定の接点が閉じられ、それによって、操作キーが押下されたことが所定の回路を介してコンピュータに認識される。このように、操作キーの押下によって閉じられる接点のような、操作キーの押下を検出する機構が設けられた基板には、操作キーの押下に伴って多少の応力が加わる。
【０００３】
一方、近年、情報端末機器、特に携帯電話においては、装置の小型が求められており、これに伴って、操作キーが小型化される傾向がある。また、携帯電話においては、装置の高機能化も進んできており、それに伴って、利用者の操作の利便性を向上させるために、各種の処理を少数のキー入力で実行できるようにするためのダイレクトキーが設けられるなど、装置に設けられる操作キーの数が増やされる傾向があり、そのために、さらに操作キーが小型化される傾向がある。
【０００４】
このように操作キーを小型化した場合、操作キーを押下する力が、基板の狭い領域に加わることになり、基板に加わる応力が大きくなる。基板に大きな応力が加わると、基板が変形することによって、回路パターンの断線やＩＣの半田剥離が発生する懸念がある。これに対して、装置の筐体の内面に、基板の、操作キーの押下による応力が加わる面とは反対側の面に向かって延びるリブを設け、このリブによって基板を支持して、基板に加わる応力による影響を緩和させる構成が従来から知られている。
【特許文献１】登録実用新案第３０４９４３６号公報
【特許文献２】特開２００２−２８７１１６号公報
【特許文献３】特開平０９−２１４１５６号公報
【特許文献４】特開平１１−３３１３３３号公報
【発明の開示】
【発明が解決しようとする課題】
【０００５】
上述のように、操作キーの押下を検出するための機構が設けられた基板の、操作キーの押下による応力が加わる面とは反対側の面にリブを設けた構成では、誤って落下させるなどして装置に大きな外力が加わり、装置の筐体が変形した際に、リブと基板との相対位置がずれることが考えられる。一方、基板の、操作キーの押下による応力が加わる面とは反対側の面には、通常、回路パターンやＩＣなどの電気部品が実装されている。そこで、リブと基板との相対位置がずれた際に、リブが、リブ周囲の電気部品に当接して、脱落させるなどの悪影響を生じないようにするために、基板の、リブが当接する部分の周囲の領域には、クリアランスを取り、すなわち、電気部品を実装しない部分を設ける必要がある。このため、従来技術では、操作キーの押下を判定するための機構が設けられた基板への実装効率が低下してしまうという課題が生じる。
【０００６】
本発明の目的は、情報端末において、操作キーの押下に伴って応力が加わる基板について、その実装効率を大きく低下させることなく、基板に加わる応力の影響を緩和することができる基板保持構造を提供することにある。
【課題を解決するための手段】
【０００７】
上述の目的を達成するため、本発明の基板保持構造は、操作キーを有する情報端末の筐体内に配置され、操作キーの押下に伴って応力を受ける基板の保持構造であって、筐体には、基板の、操作キーの押下に伴って応力を受ける面とは反対側の面の、操作キーの押下に伴って応力を受ける領域の直下の位置に向かって延びるリブが形成されており、基板には、基板の、リブに当接する位置に固定され、リブの側面に沿って位置する面を有するリブ変位規制部品が取り付けられていることを特徴とする。
【０００８】
この構成によれば、操作キーを押下した際に加わる力によって基板が変形するのをリブによって抑制し、基板の電気部品に悪影響が生じるのを抑制することができる。さらに、誤って落下させるなどして、情報端末に大きな外力が加わり、情報端末の筐体が変形した場合でも、基板に固定されたリブ変位規制部品がリブの側面に当接することによって、リブの位置が基板に対して変位するのを抑制することができる。
【０００９】
リブ変位規制部品としては、断面がＬ字形状であり、すなわち、基板に固定された板状部と、この板状部に対して直角をなすように連結され、リブの側面にそって位置する板状部とを有するものを用いることができる。
【００１０】
このように、断面がＬ字形状のリブ変位規制部品を用いる場合、各々が、両者間で互いに反対側を向いた側面を有している２つのリブに対して設けられ、各々が、２つのリブの、互いに反対側を向いた側面にそれぞれ沿って位置する面を有する２つのリブ変位規制部品を組として用いるのが好ましい。それによって、組の２つのリブ変位規制部品によって、互いに反対側の２方向のうちのいずれの方向に対しても、両リブの位置が基板に対して変位するのを抑制することができる。
【００１１】
あるいは、リブ変位規制部品としては、断面がコ字形であり、１つのリブの互いに反対側を向いた両側面のそれぞれに沿って位置する２つの面を有するものを用いてもよく、それによって、１つのリブ変位規制部品によって、リブの位置が、両側面のいずれの側に変位するのも抑制することができる。
【発明の効果】
【００１２】
本発明によれば、リブを設けることによって、操作キーを押下した際に加わる力によって基板に搭載された電気部品に悪影響が生じるのを抑制することができる。そして、なおかつ、リブ変位規制部品を設けることによって、情報端末に大きな外力が加わった場合でも、リブが基板に対して変位するのを抑制することができ、したがって、基板の、リブが当接する部分の周囲に、従来技術において必要とされていたようなクリアランスをとる必要がなく、基板の実装効率を向上させることができる。
【発明を実施するための最良の形態】
【００１３】
以下、図面を参照して本発明の実施の形態について説明する。
【００１４】
図１は、本実施形態の、情報端末の一例としての携帯電話の、操作キー１１が設けられた部分の外観図、図２は、図１（ａ）のＡ−Ａ線に沿った断面図である。
【００１５】
図２に示すように、この携帯電話には、筐体１０内に基板５が搭載されている。図１，２に示すように、筐体１０の上面には、複数の操作キー１５が配置されており、基板５は、その一面が、筐体１０の、操作キー１５が配置された上面の直下に対面するように配置されている。
【００１６】
基板５の下面には、各種の情報処理を実行するコンピュータを構成する回路パターンやＩＣなどの電気部品６が搭載されている。一方、詳細には図示していないが、筐体１０の、操作キー１５が配置された面に対面する、基板６の上面には、操作キー１５が押下されたことを検出する機構、例えば、操作キー１５の、押下した際の変位のために閉じられる接点が設けられている。すなわち、利用者が操作キー１５を押下すると、その操作キー１５に対応した接点が閉じられ、それによって、その操作キー１５が押下されたことが所定の回路を介してコンピュータに認識される。
【００１７】
このように、本実施形態の携帯電話では、操作キー１５を押下した際に、その力が基板５に伝わる。基板５に、操作キー１５を押下した際の力が加わった際に、基板５が変形し、実装された電気部品６や回路パターンに断線や接触不良などの悪影響が生じないようにするために、筐体１０には、基板５の、操作キー１５によって力が加わる領域の直下の部分に向かって延びるリブ１１が設けられている。すなわち、基板５に応力が加わっても、基板５の下面がリブ１１に当接することによって、基板５の変形が抑制され、それによって、基板５に応力が加わることによる影響を緩和することができる。本実施形態では、リブ１１は、操作キー１５から応力が加わる領域の、対向する両端部にそれぞれ１つずつ設けられている。
【００１８】
一方、基板５の、リブ１１が当接する部分には、図３に拡大して示すように、断面がＬ字形のリブ変位規制部品１が実装されている。すなわち、リブ変位規制部品１は、図４に示すように、互いに直角をなすように連結された２つの平板状部を有しており、図３に示すように、一方の平板状部が基板５上に半田付けによって固定され、他方の平板状部が、リブ１１の側面に沿って位置している。２つのリブ変位規制部品１は、各リブ１１に沿って位置する部分が、リブ１１に対して互いに反対側の面に沿って位置しており、すなわち、図３に示す例では、左側のリブ１１の部分に設けられたリブ変位規制部品１では、リブ１１の左側の面に沿って位置しており、右側のリブ１１の部分に設けられた位置規制部品１では、リブ１１の右側の面に沿って位置している。
【００１９】
本実施形態では、このようなリブ変位規制部品１を設けることによって、誤って落下させてしまった場合など、携帯電話に大きな外力が加わった場合でも、リブ１１によって電気部品６が脱落させられるといった悪影響が生じるのを防止することができる。すなわち、携帯電話に大きな力が加わった場合、筐体１０が変形し、そのために、基板５とリブ１１との相対位置が変化することが考えられるが、この場合、リブ１１の、基板５に当接する部分は、リブ変位規制部品１の、リブ１１の側面に沿って位置する部分に当接することによって、基板５に対する相対位置が変化し、すなわち変位するのを規制される。このため、基板５の、リブ１１が当接する部分の周囲に設けられた電気部品６にリブ１１が当接することはなく、電気部品６には何の影響も生じない。したがって、本実施形態によれば、基板５の、リブ１１が当接する部分の周囲に、従来技術において必要とされていたようなクリアランスを設ける必要はなく、このため、基板５の実装効率を向上させることができる。
【００２０】
なお、以上の説明、および図では、複数の操作キー１５のうちの１つに設けたリブ１１とリブ変位規制部品１について構成を示したが、リブ１１とリブ変位規制部品１は、各操作キー１５に対して同様に設けるのが好ましい。
【００２１】
また、上述の実施形態では、リブ変位規制部品１として、断面がＬ字形状のものを用い、これを、２つのリブ１１に対してそれぞれ１つずつ配置し、各リブ変位規制部品１は、リブ１１の側面に沿って位置する部分を、リブ１１の、互いに反対側に位置させた構成を示した。断面がＬ字形状のリブ変位規制部品１を用いる場合、このように２つを組にして用いるのが好ましく、それによって、リブ１１が、基板５に対して左右のいずれの側に変位しようとした場合でも、基板５に対する両方のリブ１１の変位を抑制することができる。すなわち、図３に示す例では、基板５に対して、リブ１１が左側に向かって変位しようとした場合には、左側のリブ１１の側面がリブ変位規制部品１に当接し、それによって、両方のリブ１１について基板５に対して変位するのが抑制される。同様に、リブ１１が基板５に対して、右側に向かって変位しようとした場合には、右側のリブ１１の側面がリブ変位規制部品１に当接し、それによって、両方のリブ１１について基板５に対して変位するのが抑制される。
【００２２】
一方、本実施形態の変形例として、図５〜７に示すように、１つのリブ１１に対して、断面形状がコ字形のリブ変位規制部品２１を設けた構成としてもよい。すなわち、この変形例では、リブ変位規制部品２１は、基板５上に半田付けによって固定された板状の部分の、対向する両端部にそれぞれ連結し、基板５上に固定された部分に対して直角に延びる板状の２つの部分を有しており、この両方の板状部が、リブ１１の、互いに反対側の両側面のそれぞれに沿って位置している。この構成では、１つのリブ変位規制部品２１によって、リブ１１が、基板５に対して左右のいずれの側に変位するのも抑制することができる。
【図面の簡単な説明】
【００２３】
【図１】本発明の実施形態の携帯電話の、操作キーが設けられた部分の外観図であり、図１（ａ）は平面図、図１（ｂ）は側面図である。
【図２】図１のＡ−Ａ線に沿った断面図である。
【図３】図２の、リブ変位規制部品付近の拡大図である。
【図４】図２のリブ変位規制部品の三面図である。
【図５】本発明の実施形態の変形例の携帯電話の断面図である。
【図６】図５の、リブ変位規制部品付近の拡大図である。
【図７】図５のリブ変位規制部品の三面図である。
【符号の説明】
【００２４】
１，２１    リブ変位規制部品
５    基板
６    電気部品
１０    筐体
１１    リブ
１５    操作キー
【図１】
2005078897.tif 000003
【図２】
2005078897.tif 000004
【図３】
2005078897.tif 000005
【図４】
2005078897.tif 000006
【図５】
2005078897.tif 000007
【図６】
2005078897.tif 000008
【図７】
2005078897.tif 000009